(57)【要約】電子データを長期保存できる様に電子データを可視化して保存する。その際にデータを暗号化して変換することによりデータの安全性を確保出来る様にする。  本発明の電子データの変換方法による変換システム１は、減容化された電子データを本発明に用いる光の彩度や明度の情報に変換し、透過光の原理を用いて、更に固有のフィルター情報として用いられる彩度の条件と複合させることにより得られる画像情報を可視化することにより得られる。
2010055958.tif 000002
【特許請求の範囲】
【請求項１】
コンピューターで実行される、電子データの変換方法に関するプログラムであって、元データを電子的な光の彩度及びもしくは明暗の情報として格子状もしくはハニカム状に分割されたものを基本データとし、その基本データ表示部、可変フィルター部、読取部からなり、基本データ表示部の外側の面側から赤（Ｒ）、緑（Ｇ）、青（Ｂ）の単一もしくは複合された波長の光をバーチャルな透過光として照射し、基本データ表示部を透過した光の情報がさらに透過光として可変フィルター部のフィルターにより重畳し、光の加算もしくは減算の原理により複合された彩度及びもしくは明暗の情報を読取部により最終透過データとして認知し、電子画像として利用することを特徴とする電子データの変換方法。
【請求項２】
前記可変フィルター部のデータが、複数層配設されてあることを特徴とする、請求項１記載の電子データの変換方法。
【請求項３】
前記最終透過データが、格子状もしくはハニカム状に分割された基本データ、可変フィルターのデータを、それぞれ同じ位置で重畳させた集合体画像である請求項１および２記載の電子データの変換方法。
【請求項４】
前記可変フィルターのデータが攪乱情報もしくは攪乱情報の層を含んでいることを特徴とする請求項１〜３記載の電子データの変換方法。
【請求項５】
前期基本データ表示部を透過し認知された彩度もしくは明暗の情報と、次に複合される可変フィルター部の彩度もしくは明暗の情報を複合化するに当たり、特定の組み合わせの結果が、別の彩度や明暗に変更されることを特徴とする請求項１〜４記載の電子データの変換方法。
【請求項６】
前記基本データ、可変フィルター、最終透過データは、それぞれを格子状もしくはハニカム状に分割し表示するデータとその周囲に関連付けを行う為のインデックスデータが一体化されていることを特徴とする請求項１〜５記載の電子データの表示方法。
【請求項７】
前記基本データ、可変フィルターのデータ、最終透過データを印刷などの方法により可視化して保存することを特徴とする電子データの保存方法。
【請求項８】
前記最終透過データから可変データの情報を複合させ、基本データ更にオリジナルデータに復元させる電子データの変換方法
【発明の詳細な説明】
【技術分野】
【０００１】
本発明は、透過光の原理を用いて、電子情報を光学的な情報に変換させ、更にそれらの光の色、つまり彩度や、影、つまり明暗の情報を重ね合わせることで光学的に変化させ、画像として利用するための技術に関するものである。
【背景技術】
【０００２】
この電子情報の光学的な生成方法に関しては、その基本的な原理である特許文献１の「光学的な記録方法ならびにその読取り方法」に記載された方法に包含する部分に関する詳細なものである。
【先行技術文献】
【特許文献】
【０００３】
【特許文献１】特開２００８−２４３１６３号公報
【発明の概要】
【発明が解決しようとする課題】
【０００４】
現在、一般的に広く用いられているデータの保管方法としては、大容量のハードディスクや、ＭＯ、ＣＤ、ＤＶＤ、ブルーレイ等に象徴されるディスク等にその電子情報を収納し保管するのが主流であるが、５０年以上の長期間保管をしようとする場合、それらには長期保存の実績が無いため、５０年経過後に復元が可能なのかどうかが明確でなく、また不安定要素があるため、バックアップを複数作成したり、１０年毎に新しいハードディスクに移し替える必要があった。【０００５】
一方、画像に関しては、銀塩の写真では、１００年以上前の写真が現存しており、１００年以上のオーダーでの実績があり、又、顔料系インク等で記述された情報では、千年以上も経過した文書が今でも読み取れることから、保存期間に関しては、電子情報に比較してはるかに長期間の実績を有している。【０００６】
紙やフィルムに記述された情報は、情報量の減容化が出来ないという欠点があり、更に機密化を行うことが難しく、データ自体を簡単に読み取る事が出来るため、データの安全性に関する問題点も指摘されている【０００７】
一方、電子情報であるフレキシブルディスクは、磁気や電磁波などに対しても弱く、ハードディスク、ＭＤやＤＶＤは熱に弱く、更にＤＶＤやＣＤ、ブルーレイに至っては紫外線の暴露や加水分解等の影響を受けるため、データ的には脆弱であるという欠点が問題視されている。
【課題を解決するための手段】
【０００８】
上記課題を解決するために、第１の発明の電子データの変換方法は、上記の情報量の減容化が出来ないと言われている問題点、並びに、簡単に読み取られるというデータの安全性に関する問題点を、データを下記の方法により変換して暗号化を行うことにより、指摘されている問題点を同時に解決出来る方法を提案するものである。【０００９】
その方法は、コンピューターで実行される、電子データの変換方法に関するプログラムであって、元データを電子的な光の彩度及びもしくは明暗の情報として、格子状もしくはハニカム状に分割されたものを基本データとし、そのデータを表示する基本データ表示部、可変フィルター部、読取部からなり、基本データ表示部の外側の面側から赤（Ｒ）、緑（Ｇ）、青（Ｂ）の単一もしくは複合された波長の光をバーチャルな透過光として照射し、基本データ表示部を透過した光の情報がさらに透過光として可変フィルター部のフィルターにより重畳し、複合された彩度及びもしくは明暗の情報を読取部により最終透過データとして認知し、電子画像として利用することを特徴とする電子データの変換システムを開発した。【００１０】
第２の発明の電子データの光学的な変換方法としては、前記第１の発明において、前記可変フィルター部のデータが、複数層配設されてある態様を例示する。【００１１】
第３の発明の電子データの変換方法としては、前記第１又は２の発明において、前記最終透過データが、格子状もしくはハニカム状に分割された基本データ、可変フィルターのデータを、それぞれ同じ位置で重畳させた集合体画像である態様を例示する。【００１２】
第４の発明の電子データの光学的な変換方法としては、前記１〜３のいずれかの発明において、可変フィルター部のデータが攪乱情報もしくは攪乱情報の層を含んでいるものである態様を例示する。【００１３】
第５の発明の電子データの変換方法としては、前記基本データ表示部の彩度もしくは明暗の情報を複合化するにあたり、特定の組合せの結果が、容易に推定される彩度や明暗ではなく、推定されにくい別の彩度や明暗の組み合わせに変更される態様を例示する。【００１４】
第６の発明の電子データの変換方法としては、前記１〜５の発明において、前記基本データ、可変フィルターのデータ、最終透過データは、それぞれを格子状もしくはハニカム状に分割し表示するデータと、その周囲に関連付けを行う為のインデックスデータが一体化されているものである態様を例示する。【００１５】
第７の発明の電子データの光学的な変換方法としては、前記基本データ、可変フィルターのデータ、最終透過データを印刷などの方法により可視化して保存したりする態様を例示する。【００１６】
第８の発明の電子データの光学的な変換方法としては、情報の復元方法として、前記１〜７の発明において、最終透過データから可変データの情報を複合させ、基本データ更にオリジナルデータに復元させる事が出来るプログラムである態様を例示する。【００１７】
以上において、格子状もしくはハニカム状に分割され表示するデータの周囲で関連付けを行う為のデータとしては、特に限定されないが、余白部分を有効に利用するものであることを例示する。前記データとしてはカラーであっても、モノクロであっても、二次元的に分割されたものであってもよく、たとえば、ハニカム状の場合、一つ一つのユニットは六角形であるが、半分に切り取られると、台形となり、又、１つ離れた頂点とを結んだ線上で切断されると、三角形の形状となる。
これらの形状及び、着色された色との組み合わせにより、別途のデータを加味することが可能となり、このデータシートの向き、つまり方向性を判別するために利用したり、その情報の経過情報等の付加的なデータを添付したり、インデックス情報を記載することも可能となる。
【発明の効果】
【００１８】
本発明に係る電子データの変換方法によれば、電子化された情報を減容化と同時にバーチャルな光学的な原理に基づく固有の秘密鍵を持って、復元の難しいデータに変換できるという優れた効果を奏する。
【図面の簡単な説明】
【００１９】
【図１】本発明を具体化した一実施形態に係る電子データの変換システムの構成を示すブロック図である。
【図２】同変換装置における電子データの変換手段の処理の流れを示すフローチャート図である。
【図３】同変換装置における電子データの移行に関するフローチャート図である。
【図４】同変換装置により基本データと可変フィルターのデータを複合させ、最終透過データの生成例を示す図である。
【図５】同変換装置における基本データと複合させる可変フィルターのデータが攪乱情報である例を示す図である。
【図６】同変換装置における攪乱情報により最終透過データが変化する例を示す図である。
【図７】同変換装置における基本データや可変フィルターの彩度や明暗の情報を複合するにあたり特定の組合せの結果が別の彩度や明暗に変化することを表す図である。
【図８】同変換装置に用いられる表示形態を表した図であり、（ａ）はハニカム状に分割されたデータとインデックスデータが一体化されたもの、（ｂ）はインデックスデータの一部に１次元や２次元のコードを組合わせたもの、（ｃ）はインデックスデータを追加するような時に用いられるストレッチデータを表すものである。
【図９】同生成装置により生成された最終透過データ等を可視化して保存する例を表した斜視図で、（ｄ）はロール状の帳票、（ｅ）は通帳型の帳票で電子的もしくは電磁的な識別方法が具備されていることを示すものである。
【図１０】同復路の変換システムにおける暗号化された情報からオリジナルデータに戻す方法を表したチャート図である。
【発明を実施するための形態】
【００２０】
図１〜図１０は本発明を具体化した一実施形態の電子データの変換をおこなう変換システム１を示している。以下、本発明をこの変換システム１に具体化した実施形態について、同変換システム１を使用して実施する変換方法、プログラム及び該プログラムが記録されたコンピューター読取可能な記録媒体と共に、図面を用いて説明する。
【００２１】
図１に示すように、本変換システム１は、公知のコンピューターシステムを使用したシステムで、その全体の動作を制御する制御装置２、入力装置１５そして出力装置１７及び記録媒体１６から出来ており、図２に示すように、オリジナルデータ３８から電子化されたオリジナルデータ４に変換し、それを暗号化して保存するまでの往路の変換システム４０と、プリントされた情報１８や保存された情報１９をオリジナルデータ３８に戻すための復路の変換システム４１により構成されている。
【００２２】
往路においては、オリジナルデータ３８を電子化し、升目状やハニカム状の光の彩度の情報であるオリジナルデータを基本データに変換する手段２７、Ｒ、Ｇ、Ｂの光をバーチャルな光として照射する手段３、基本データ５を表示する基本データの表示手段６、基本データ表示装置を透過した情報７を認知する手段８、可変フィルター情報を呼び出す手段９、そのデータ１１、可変フィルターの情報と基本データの情報を複合させる手段１２、可変フィルターを透過した複合情報の読取手段１３と最終透過データ１４と制御装置２に対する操作・指示やデータを入力するためのキーボード、マウス等の入力装置１５を備えるとともに、データの保存のための記録媒体１６、プリンタ等の出力装置１７に接続されていて、減容化された画像としてプリントアウトされた情報１８、つまり長期間の保存に耐えることが可能な暗号化された印刷物を得ることが出来る。
【００２３】
さらに復路の変換システムとして、保管された当該データを読取り、復元させる為の電子鍵であるフィルター情報が組み込まれたソフトは、常時利用が可能なメディアを用いて更新を行うようにする。
【００２４】
ここで言う、Ｒ、Ｇ、Ｂの光をバーチャルな光として照射する手段に用いる装置とは、実際に光を照射する必要はなく、あくまでも電子的に、つまりプログラムソフトを意味しここではデータの有する色情報を変換するためのソフトを意味する。
【００２５】
オリジナルデータの電子化手段とは升目状もしくはハニカム状に表示される基本データを生成するためのもので、文字や画像のデータを電子的に画像に変換することの出来るプログラムを含む装置であって、白黒の様な単色で画像化するのではなく、種々の色の組み合わせを行う事により、できあがったデータ量としては階乗的に大きなデータ量を集積することが出来る。
【００２６】
この装置で出来上がったデータを基本データ５と称し、専用の表示装置６で表示を行うようにしている。この表示されたデータは、透明なガラス板やフィルムの間に形成されたようなもので、升目状もしくはハニカム状に分割されたカラー情報のようになっていて、バーチャルな光を照射する装置から照射されたバーチャルな透過光により、基本データを透過された情報を認知する手段８で認知することが出来る。
【００２７】
次に、認知された情報を更に透過光として次なる可変フィルター９に送致し、可変フィルターのデータ１１と複合された情報、つまり可変フィルターを透過した複合情報の読取手段１３にて最終透過データ１４として読取るようにしている。
【００２８】
次に、図３を基に、可変フィルター１０が複数層配設されている状態を説明する。可変フィルター１０は基本データ５と同様の表示形態を持つものであるが、大きな違いは予め個体ごとに固有の条件で彩度の情報が設定されており、可変フィルター１０のデータ１１が複数層に配設されている場合には、その層間に可変フィルターを透過した情報の読取手段１３が存在し、次の層の可変フィルター情報と複合させる手段１２により複合し、さらに最終的な可変フィルターと複合し、透過したデータは最終透過データとして読取られるようになっている。
【００２９】
次に、図４を基に、最終透過データ１４が、格子状もしくはハニカム状に分割された基本データ５、可変フィルターのデータ１１を、それぞれ同じ位置で重畳させた集合体画像であることを説明する。たとえば、図４記載の基本データ５、可変フィルターのデータ１１、最終透過データ１４の組み合わせで、光が同じ位置の升目もしくはハニカム状方向に透過すると、基本データ５の特定の場所の色が赤３３で、可変フィルターの対となる場所の色が緑３４の場合には、得られた結果、つまり最終透過データ１４は赤と緑の複合された色となる。
【００３０】
次に、可変フィルターのデータ１１が攪乱情報になっていることを図５を基に説明する。可変フィルターのデータ１１はそのソフト単位で復元工程をより難しくさせることが出来るのであるが、例えば単層の可変フィルター１０であっても、それに用いられたデータのうちの幾つかのハニカムの部分において、基本データと複合させる段階で、乱数的に可変フィルターのデータ１１の一部であるＤ２の部分とＥ２を入れ替えて基本データ５と複合させたり、多層の場合においてもそのうちの一つの層のデータを乱数的に変化させることが可能となる。
【００３１】
図６は図５の変化の状態を表に示したもので、基本データ５の位置やカラーと可変フィルター１０の位置やカラーは、規則正しく複合させることが基本であるが、この表に表した攪乱条件においては、  可変フィルターの条件はそのままで、複合させる作業時点においてＤ２とＥ２の位置が変わって複合させる組合せのようになっている。  その為、フィルター情報を事前に解読された場合においても、より情報を複雑にし、安全化が諮られるようになるのであるが、その成果として得られる最終透過データ１４は、プリントして保存するような情報であるため、そのデータ量は基本データと同じ彩度の変化のみである為、電子データのように情報の桁数を増やして複雑にしたようなものとはならない。
【００３２】
次に図７を基に、基本データ５を透過し、基本データ透過情報認知手段８により認知された彩度もしくは明暗の情報と、次に複合される可変フィルター１０の彩度もしくは明暗の情報である可変フィルターのデータ１１が可変フィルターの情報と基本データの情報を複合させる手段１２において、それらを複合化するに当たり、特定の組合せの結果が別の彩度や明暗に変更されることについて説明する。ここではオリジナルデータを電子化し基本データ５としたものを順次このシステムを用いて最終透過データ１４とし、プリントして利用するまでの作業を電子データの変換方法における往路の変換システムと称し、利用つまり長期間保管したものを読取り、オリジナルデータである原本に復元させるまでの作業工程のことを本システムでは復路の変換システムと称する。
【００３３】
往路の変換システムにおいては、  前記やそれ以外の複合方法を用いても問題なくシステムを実行すること、つまり複合による変換ができるのであるが、復路の変換システム、つまり復元作業において、基本データ５を導き出そうとした場合、復路のシステム中には当然、基本データ５は収納されておらず、最終透過データが赤３３で、可変フィルター１０が単層、もしくは復路においての最終の可変フィルター１０の場合において、その可変フィルターのデータ１１も赤３３の場合は、基本データ５の色が赤３３の場合と白、所謂透明３７の場合の２種類の色が存在するようになり、元のデータを復元することが困難となる。従って、このような場合が生じない様に、基本データ５の色が赤３３、緑３４、青３５のような単一の色で、その可変フィルターのデータ１１が同じ色の単色の場合や黒３６の場合、通常ではあり得ない様な複合された色に変化するように設定しておくことで、一義的な復元が可能となる。
【００３４】
この問題を解決する為に本システムにおいては、往路の基本データ５を透過し、認知された彩度もしくは明暗の情報と、次に複合される可変フィルターのデータ１１の彩度もしくは明暗の情報を複合化するに当たり、復元が不能に陥る特定の組合せの結果を別の彩度や明暗に変更するようにしている。
【００３５】
次に図８の（ａ）、（ｂ）、（ｃ）を基に、基本データ５、可変フィルターのデータ１１、最終透過データ１４として読取られたそれぞれのデータは、図（ａ）に表されたように、固有のシステム単位で同一の格子状もしくはハニカム状に分割し表示するデータとその周囲に、そのデータの関連付けを行う為のインデックスデータ２１が一体化されているようになっている。このインデックスデータ２１は、データの天地左右を判別するだけで無く、主たるデータと同様にカラーで表示することで同じ駒数であっても白黒の場合に比べて格段のデータ量を増大することが出来る為、多くの関連情報を掲載することが出来るのである。
【００３６】
図（ｂ）に表現されているように、このインデックスデータ２１は、主たるデータ２０の情報を整理するために用いられるもので、主たるデータ２０と同時に読取ったり、必要に応じてインデックスデータ２１のみを読取ったりすることが出来、主たるデータ２０をハニカム状の集合体で表現した場合、そのデータとの識別精度をより高めるために、ハニカムの端部の外側に組込むことが出来る形状の三角形のデータ２３や台形のデータ２４の略連結体であったり、一次元コード２５や二次元コード２６を用いることで識別が容易となる。
【００３７】
また、図（ｃ）のように、インデックスデータ２１は、そのデータのタイトル、データの天地左右、読取方向、作成された日時、作成者の情報等を収納する必要があり、データ量が増大する場合には基本的なインデックスデータ２１の外側にストレッチデータ２２として増やすようにすることが出来るため、通常であれば主たるデータを書き換えたり追加した場合には、まったく別の情報として扱われる場合があるが、履歴等の一部をストレッチデータ２２に記載することも可能となる。
【００３８】
次に基本データ５、可変フィルターのデータ１１、最終透過データ１４を印刷などの方法により可視化して保存することについて図９を基に具体的に説明する。図９（ｄ）はロール状帳票紙４２で、送り用のパンチ孔４３が規則的に設けられている。この可視化を行なう場合の情報のサイズは、適宜読取が可能なサイズであれば良い。
【００３９】
図９（ｅ）は、通帳型帳票４４を表したもので、グループごとや案件ごとの最終透過データ１４を管理する上で便利なように、電子的もしくは電磁的な識別装置４５が組み込まれているため、帳票を開かないでリニアに識別したりすることが可能となる。
【００４０】
次に、図１０を基に最終透過データ１４、つまり暗号化された情報２８を画像として読取り、可変フィルターのデータ１１の情報と複合させ、基本データ５、更にオリジナルデータ３８に変換する方法について説明する。最終透過データ１４は写真のようなカラー画像としてプリントしたり、無機系の顔料を用いたプリントをすることにより長期間安定的に保存することが可能であると言われており、それらのプリントされた情報の読み取り手段２９として、カメラやスキャナーを用いて読み取ることが出来、その情報に対して復元させるためのソフトでは、可変フィルター情報を呼び出す手段３０で呼び出し、可変フィルター情報を除去して基本データに戻す手段３１により基本データに戻し、更に基本データをオリジナルデータに戻す手段３２によりオリジナルデータ３８に戻すことが可能となる。
【００４１】
以上のように構成された本例の電子データの変換システム１によれば、電子データを保存するにあたりフェイルセーフを考慮した保存方法として、電子的に保存するだけでなく、別の系統としての保存が容易に出来るばかりか、その管理やセキュリティーにおいても、固有の条件でしか変換することが出来ないと言う優れた特徴を奏する。
【００４２】
尚、本発明は前記実施形態に限定されるものではなく、例えば以下のように、発明の趣旨から逸脱しない範囲で適宜変更して具体化することもできる。
（１）本発明に用いられるバーチャルな透過光が、Ｒ、Ｇ、Ｂの単色もしくは複合された面状の光のみでなく、部分的な枡単位で単色もしくは複合された別の色を照射し、それを認知し、利用すること。
（２）本発明に用いられるバーチャルな透過光が、面状もしくは升目単位で点滅させることを、予め取り決められた情報として認知し、利用すること。
（３）透過光の彩度だけではなく、明度も変化させることを、予め取り決められた情報として認知し、利用すること。
（４）可視化する場合において、構造色もしくは構造色を含む印刷もしくは格子状の線を用いたホログラムであること。
（５）可視化された情報を更に別の方法で変換し、保存すること。
【符号の説明】
【００４３】
１  変換システム
２  制御装置
３  光の照射手段
４  電子化されたオリジナルデータ
５  基本データ
６  基本データの表示手段
７  基本データ表示装置を透過した情報
８  基本データ透過情報認知手段
９  可変フィルター情報を呼び出す手段
１０  可変フィルター
１１  可変フィルターのデータ
１２  可変フィルターの情報と基本データの情報を複合させる手段
１３  可変フィルターを透過した複合情報の読み取り手段
１４  最終透過データ
１５  入力装置
１６  記録媒体
１７  出力装置
１８  プリントされた情報
１９  保存された情報
２０  主たるデータ
２１  インデックスデータ
２２  ストレッチデータ
２３  三角形のデータ
２４  台形のデータ
２５  一次元コード
２６  二次元コード
２７  オリジナルデータを基本データに変換する手段
２８  暗号化された情報
２９  プリントされた情報の読み取り手段
３０  可変フィルター情報を呼び出す手段
３１  可変フィルター情報を除去して基本データに戻す手段
３２  基本データをオリジナルデータに戻す手段
３３  赤色
３４  緑色
３５  青色
３６  黒色
３７  白色
３８  オリジナルデータ
３９  データ表示手段
４０  往路の変換システム
４１  復路の変換システム
４２  ロール状帳票紙
４３  パンチ孔
４４  通帳型帳票
４５  電子的もしくは電磁的な識別装置
４６  第一層目の可変フィルターを透過した情報と第二層目の可変フィルター情報を複合    させる手段。
１０１  第一層目の可変フィルター
１０２  第二層目の可変フィルター
【図１】
2010055958.tif 000003
【図２】
2010055958.tif 000004
【図３】
2010055958.tif 000005
【図４】
2010055958.tif 000006
【図５】
2010055958.tif 000007
【図６】
2010055958.tif 000008
【図７】
2010055958.tif 000009
【図８】
2010055958.tif 000010
【図９】
2010055958.tif 000011
【図１０】
2010055958.tif 000012
【国際調査報告】
2010055958.tif 000013
2010055958.tif 000014
2010055958.tif 000015
2010055958.tif 000016